(57)【要約】【課題】チャンバー内での作業を伴うシールドトンネル工事において、作業の手間を削減することを可能とした止水方法および泥土圧式シールド工法を提案するとともに、この泥土圧式シールド工法に使用する加泥材を提案する。【解決手段】不凍結材が混入されていない加泥材を利用して掘進する工程と、不凍結材が混入された不凍結加泥材を利用して掘進する工程と、掘進を停止してシールドマシン１の周辺地盤を凍結する工程と、チャンバー４内に作業員が入り込むことが可能となるように当該チャンバー４内の泥土を掘削する工程とを備える泥土圧式シールド工法。【選択図】図１
2020051243.tif 000002
【特許請求の範囲】
【請求項１】
トンネル掘削機による掘進を停止した際の止水性を確保するための止水方法であって、
前記トンネル掘削機のチャンバーの内容物に不凍結材を混合した状態で、当該トンネル掘削機の周辺の地盤を凍結させることを特徴とする、止水方法。
【請求項２】
前記トンネル掘削機の掘進を停止させる位置の手前から前記チャンバーに前記不凍結材を供給し始めることを特徴とする、請求項１に記載の止水方法。
【請求項３】
前記トンネル掘削機の掘進を停止させた状態で前記チャンバーに前記不凍結材を供給することを特徴とする、請求項１に記載の止水方法。
【請求項４】
前記トンネル掘削機の外周面に沿って形成された環状部材を利用して前記トンネル掘削機の外面と前記地盤との隙間を遮蔽するとともに、切羽から前記環状部材までの範囲を含むように地盤を凍結させることを特徴とする、請求項１乃至請求項３のいずれか１項に記載の止水方法。
【請求項５】
前記不凍結材が水溶液の凝固点を降下させる塩を含有していることを特徴とする、請求項１乃至請求項４のいずれか１項に記載の止水方法。
【請求項６】
前記内容物に含まれる水分と塩分との合計に対する前記塩分の濃度が１４重量％以上になるように、前記塩分を添加することを特徴とする、請求項５に記載の止水方法。
【請求項７】
不凍結材が混入されていない加泥材を利用して掘進する工程と、
不凍結材が混入された不凍結加泥材を利用して掘進する工程と、
掘進を停止してトンネル掘削機の周辺地盤を凍結する工程と、
チャンバー内に作業員が入り込むことが可能となるように当該チャンバー内の泥土を掘削する工程と、を備えることを特徴とする、泥土圧式シールド工法。
【請求項８】
泥土圧式シールド工法に使用する加泥材であって、
ベントナイトと、水と、不凍結材とを含むことを特徴とする、加泥材。
【請求項９】
加泥材中の前記水に対する前記ベントナイトの割合が、１７重量％〜２８重量％の範囲内であることを特徴とする、請求項８に記載の加泥材。
【請求項１０】
前記不凍結材が水溶液の凝固点を降下させる塩を含有していることを特徴とする、請求項９に記載の加泥材。
【請求項１１】
前記水と前記塩との合計に対する前記塩の濃度が、１５重量％〜７０重量％の範囲内であることを特徴とする、請求項１０に記載の加泥材。
【発明の詳細な説明】
【技術分野】
【０００１】
本発明は、止水方法および加泥材に関する。
【背景技術】
【０００２】
シールドトンネル工事では、トンネル掘削機（シールドマシン）による掘進を一時的に中断して、チャンバー内に作業員が入って作業を行う場合や、チャンバーを通過して切羽とカッターヘッドとの間に作業員が入って作業を行う場合がある。例えば、トンネル延長が長い場合等において摩耗したカッタービットを交換する際には、作業員がチャンバー内、あるいはカッターヘッドと切羽との間に入って作業を行う場合がある。また、トンネル同士を接続する場合においても、接合部の処理を行うために、チャンバー内において作業を行う場合がある。
チャンバー内に作業員が入る場合には、チャンバー内の圧力を除去する必要がある。ところが、チャンバー内の圧力を除去すると、周辺地盤の土圧または地下水圧がトンネル掘削機内よりも高くなるため、トンネル掘削機内に土砂や地下水等が入り込むおそれがある。そのため、チャンバー内の圧力を除去する際には、止水工を講じる等して、トンネル掘削機内への土砂や地下水等の流入を防ぐ必要がある。
掘進を中断したトンネル掘削機の止水方法として、予めトンネル掘削機の周辺地盤を凍結させる凍結工法を採用する場合がある。凍結工法では、地表面またはトンネル掘削機内から凍結管を地盤内に配設して、この凍結管に冷媒を循環させることで周辺地盤を冷却して凍結させる。例えば、特許文献１では、トンネル同士を接合する際に、トンネル掘進機から接続部の周囲を囲うように複数の凍結管を配設し、この凍結管に冷却剤を循環させることで接続部の周囲の地盤を凍結される方法が開示されている。
【先行技術文献】
【特許文献】
【０００３】
【特許文献１】特開２０１６−１５６１６９号公報
【発明の概要】
【発明が解決しようとする課題】
【０００４】
トンネル掘削機の周辺地盤を冷却すると、チャンバー内も冷却され、その結果、チャンバーの内容物（泥土や泥水等）が凍結してしまう。そのため、チャンバー内に作業員が入るためには、凍結したチャンバーの内容物をピックやブレーカー等を利用して人力により掘削する必要がある。ところが、凍結した内容物は硬いため、掘削作業には手間がかかる。また、狭いチャンバー内での掘削作業は慎重に行う必要があり、効率が悪い。
このような観点から、本発明は、チャンバー内での作業を伴うシールドトンネル工事において、作業の手間を削減することを可能とした止水方法および泥土圧式シールド工法を提案することを課題とするとともに、この泥土圧式シールド工法に使用する加泥材を提案することを課題とする。
【課題を解決するための手段】
【０００５】
前記課題を解決するための本発明の止水方法は、トンネル掘削機のチャンバーの内容物に不凍結材を混合した状態で、当該トンネル掘削機の周辺地盤を凍結させることで、トンネル掘削機の掘進を停止した際の止水性を確保するものである。かかる止水方法によれば、チャンバーの内容物に不凍結材が混合されるので、内容物の凍結を防ぐことができる。そのため、チャンバー内に作業員が入り込む際に、チャンバーの内容物の除去に要する手間を大幅に低減できる。
チャンバー内へ不凍結材を供給する方法としては、例えば泥土圧式シールド工法である場合には、ベントナイトと、水と、増粘剤と、不凍結材とを含む加泥材を使用すればよい。また、例えば、泥水式シールド工法の場合には、チャンバー内の泥水を除去して、チャンバー内に不凍結材が混合された加泥材を充填すればよい。
チャンバー内での作業またはトンネル掘削機外での作業を含む泥土圧式シールド工法は、不凍結材が混入されていない加泥材を利用して掘進する工程と、不凍結材が混入された不凍結加泥材を利用して掘進する工程と、掘進を停止してトンネル掘削機の周辺地盤を凍結する工程と、チャンバー内に作業員が入り込むことが可能となるように当該チャンバー内の泥土を掘削する工程とを備えているのが望ましい。
【０００６】
なお、前記止水方法では、前記トンネル掘削機の掘進を停止させる位置の手前（例えば、１リング手前）から前記チャンバーに不凍結材を供給し始めることで、掘進を停止させる時点までにチャンバーの内容物全体に不凍結材を行きわたらせるようにしてもよいし、前記トンネル掘進機を所定の位置に停止させた状態で、前記チャンバーに不凍結材を供給してもよい。
また、前記止水方法では、前記トンネル掘削機の外周面に沿って形成された環状部材を利用して前記トンネル掘削機の外面と前記地盤との隙間を遮蔽するとともに、切羽から前記環状部材までの範囲を含むように地盤を凍結させるのが望ましい。このようにすれば、不凍結材が地下水へ浸出することを防止できるとともに、余掘り部を介して土砂や地下水等が流入することを防止できる。また、切羽から前記トンネル掘削機のテールまでの範囲を含むように地盤を凍結させれば、より確実に土砂や地下水等の流入を防止できる。
なお、前記不凍結材には、水溶液としたときの液体の凝固点を降下させる塩（例えば、塩化ナトリウム、塩化カリウム、塩化カルシウム、塩化マグネシウム）を使用するのが望ましい。また、この他に不凍結材として使用可能な材料としては、例えば、ＣＭＡ、ギ酸ナトリウム、けい酸ソーダ、グリセリン、エチレングリコール、等がある。
また、不凍結材が塩分を含有する場合には、前記内容物に含まれる水分と前記塩分との合計に対する前記塩分の濃度が１４重量％以上になるように、前記塩分を添加するのが望ましい。また、加泥材の不凍結材として塩を使用する場合は、前記水と前記塩との合計に対する前記塩の濃度が、１５重量％〜７０重量％の範囲内、より好ましくは２５重量％〜５５重量％の範囲内にするのが望ましい。塩分の添加量を前記のように調整すれば、凍結工法における凍土の平均的な温度である−１０℃においてもチャンバーの内容物の凍結を防止できる。
また、加泥材中の水に対するベントナイトの割合が１７重量％〜２８重量％の範囲内にするのが望ましい。ベントナイト濃度を前記のように調整すれば、ブリージングを３％以下にでき、かつポンプによる注入が可能な程度の粘性を確保できる。
【発明の効果】
【０００７】
本発明の止水方法および加泥材によれば、チャンバー内での作業を伴うシールドトンネル工事の作業の手間を削減し、ひいては、工期短縮化を図ることが可能となる。
【図面の簡単な説明】
【０００８】
【図１】第一実施形態に係るシールドマシンの概要を示す断面図である。
【図２】凍結領域を示す平面図である。
【図３】(ａ)は図２のＡ−Ａ矢視図、（ｂ）は図２のＢ−Ｂ矢視図である。
【図４】カッタービットの交換状況を示す断面図である。
【図５】第二実施形態に係るシールドマシンの概要を示す断面図である。
【発明を実施するための形態】
【０００９】
＜第一実施形態＞
第一実施形態では、泥土圧式シールド工法によるシールドトンネル工事において、摩耗または破損したカッタービットを地中で交換する場合について説明する。カッタービットの交換は、シールドマシンによる掘進を停止した状態で、カッターヘッドの前面と切羽との間において作業員が手作業により行う。このとき、シールドマシン（トンネル掘削機）周辺の地山は、崩落することがないように、止水しておく必要がある。本実施形態では、シールドマシンによる掘進を停止した際の止水性を確保する止水方法として、シールドマシンの周辺地盤を凍結させる凍結工法を採用する。
本実施形態の泥土圧式シールド工法は、第一掘進工程と、第一凍結工程と、第二掘進工程と、第二凍結工程と、交換作業工程とを備えている。
【００１０】
第一掘進工程では、ベントナイトや水溶性高分子と水を含有し、不凍結材が混入されていない加泥材を利用して掘進する。なお、通常掘削用の加泥材を構成する材料や配合は限定されるものではない。本実施形態のシールドマシン１は、図１に示すように、前端に設けられたカッターヘッド（カッタースポーク）２とその後方に設けられた隔壁３とを備えており、カッターヘッド２と隔壁３との間にチャンバー４が形成されている。カッターヘッド２には、複数のカッタービット２１，２１，…が固定されている。隔壁３には、作業員が出入りするためのマンホール（図示せず）が形成されている。また、シールドマシン１の内部には、チャンバー４内の掘削土（泥土６）を排出するためのスクリューコンベア５が設けられている。スクリューコンベア５は、隔壁３を貫通して、チャンバー４に接続されている。また、シールドマシン１に推力を与えるシールドジャッキ１１が設けられているとともに、カッターヘッド２に回転力を付与するモーター２２が設けられている。
泥土圧式シールド工法では、チャンバー４内において、カッタービット２１，２１，…で掘削した土砂に加泥材を添加して練り混ぜることで、不透水性と塑性流動性を持つ泥土６を生成し、これをチャンバー４内に充満させる。この状態を維持しながらシールドジャッキ１１の推力によりチャンバー４内の泥土６に泥土圧を発生させ、切羽Ｋの土圧と地下水圧に対抗し、シールドマシン１の掘進量と排土量のバランスを図りながら掘進する。
【００１１】
第一凍結工程では、図２に示すように、シールドマシン１の停止位置（カッタービット２１の交換予定位置）周辺の地盤（凍結領域Ａ０）を、シールドマシン１が停止位置に到達する前に凍結しておく。本実施形態では、図３（ａ）および（ｂ）に示すように、地上から凍結領域Ａ０に向けた複数の凍結管７，７，…を打設し、これらの凍結管７，７，…に−３０℃〜−３５℃程度の冷媒を循環させることにより、凍結領域Ａ０の地山（地下水）を凍結する。凍結した凍土の平均的な温度は、−１０℃程度である。凍結管７，７，…は、トンネル施工カ所の周囲に配管する。なお、凍結管７は、シールドマシン１内から、前方に向けて挿入してもよい。このとき、第一凍結工程において凍結する範囲（凍結領域Ａ０）は、少なくとも、シールドマシン１による掘削断面よりも大きな面積で、かつ、少なくともシールドマシン１の先端から隔壁３までの距離以上の延長を有する範囲とする。すなわち、凍結領域Ａ０は、停止位置において停止させたシールドマシン１の先端部を覆っている。凍結管７は、シールドマシン１と接触することが無いように、かつ、凍結領域Ａ０全体を凍結させることが可能となるように配管する。なお、シールドマシン１を停止させた際に、切羽Ｋからシールドマシン１のテールまでの範囲を含むように地盤を凍結させれば、土砂や地下水等がシールドマシン１内へ流入することをより確実に防止できる。
【００１２】
第二掘進工程では、不凍結材が混入された不凍結加泥材を利用して掘進する。第二掘進工程は、カッタービット２１の交換が予定された位置（停止位置）にシールドマシン１が到達する手前から開始する。本実施形態では、停止位置の１リング（約１ｍ）手前から不凍結加泥材を供給し始める。なお、不凍結加泥材を供給し始めるタイミングは、シールドマシン１を停止した際にチャンバー４内の泥土６全体に不凍結加泥材が行きわたらせることが可能であればよく、停止位置から１リング手前に限定されるものではない。
第二掘進工程では、カッタービット２１で掘削した土砂に不凍結加泥材を添加してチャンバー４内において練り混ぜることで、不透水性、塑性流動性および不凍結性を持つ泥土６を生成し、これをチャンバー４内に充満させる。この状態を維持しながらシールドジャッキ１１の推力によりチャンバー４内の泥土６に泥土圧を発生させ、切羽Ｋの土圧と地下水圧に対抗し、シールドマシン１の掘進量と排土量のバランスを図りながら掘進する。このとき、凍結領域Ａ０は予め凍結されているため、不凍結材が地盤内に流出し難くなっている。
【００１３】
不凍結加泥材は、ベントナイトと、水と、増粘剤と、不凍結材とを含んでいる。本実施形態では、不凍結材として塩化ナトリウムを使用する。加泥材中の水と塩化ナトリウムとの合計に対する塩化ナトリウムの濃度は、１５重量％〜７０重量％の範囲内、より好ましくは２５重量％〜５５重量％の範囲内とする。また、加泥材の添加量は、チャンバー４内において掘削土と混合した際に、掘削土に含まれる水分、加泥材に含まれる水分および塩化ナトリウムの合計に対する塩化ナトリウムの濃度が１４重量％〜２４重量％の範囲内、好ましくは１５重量％〜１７重量％の範囲内になるように設定する。なお、不凍結材を構成する材料は、塩化ナトリウムに限定されるものではなく、例えば、塩化カリウム、塩化カルシウム、塩化マグネシウム、ＣＭＡ、ギ酸ナトリウム、けい酸ソーダ、グリセリン、エチレングリコール等を使用してもよい。また、加泥材中の水に対するベントナイトの割合が１７重量％〜２８重量％の範囲内にするのが望ましい。
なお、加泥材の配合設計には、土質調査結果等から求まる地山の含水率の推定値を使用する。また、土砂に対する加泥材の添加量（注入率）は、スランプ試験により所定のスランプ値（例えば、１０ｃｍ〜１５ｃｍ）を確保できる値とする。
【００１４】
第二凍結工程では、掘進を停止してトンネル掘削機の周辺地盤を凍結する。なお、シールドマシン１の停止とともに、不凍結加泥材の注入も停止する。第二凍結工程では、第一凍結工程において使用した凍結管７による凍結を引き続き実施するとともに、シールドマシン１から挿入した凍結管、または、シールドマシン１の外殻に設置された凍結手段（図示せず）により、地上から打設した凍結管７によって凍結できない部分（例えば、シールドマシン１の下方等）およびシールドマシン１に面する地盤を凍結する。これにより、凍結領域Ａ０とシールドマシン１の前胴部分との一体化を図る。このとき、チャンバー４内の内容物（泥土６）全体に不凍結加泥材が混合されているため、チャンバー４内の泥土６が完全に凍結することが防止されている。
【００１５】
交換作業工程では、図４に示すように、カッタービット２１の交換を行う。まず、チャンバー４内に作業員が入り込むことが可能となるように当該チャンバー４内の泥土６を掘削する。次に、作業員は、チャンバー４を通過して、カッターヘッド２のスポークの間を通ってシールドマシ１ンの外（カッターヘッド２と切羽Ｋとの間）に出る。そして、カッターヘッド２の前面において、カッタービット２１の交換作業を行う。カッタービット２１の交換作業が終了したら、第一掘削工程を再開する。
【００１６】
本実施形態の泥土圧式シールド工法および止水方法によれば、チャンバー４内の泥土６に不凍結材が混合されるので、チャンバー４内の泥土６が周辺地盤とともに凍結することを防ぐことができる。そのため、チャンバー４内に作業員が入り込む際に、チャンバー４内の泥土６を除去しやすい。
また、シールドマシン１の停止位置の手前から不凍結加泥材を供給し始めるため、シールドマシン１が停止位置に到達した際にはチャンバー４内に不凍結材が行きわたっている。そのため、チャンバー４内の泥土６が完全に凍結することがない。
また、不凍結加泥材には、加泥材中の水と塩化ナトリウムとの合計に対する塩化ナトリウムの濃度が、１５重量％〜７０重量％の範囲内、好ましくは２５重量％〜５５重量％の範囲内、より好ましくは４０重量％〜５５重量％の範囲内で塩化ナトリウムが添加されており、泥土６に含まれる水分と塩化ナトリウムとの合計に対する塩化ナトリウムの濃度が１４重量％〜２４重量％の範囲内、好ましくは１５重量％〜１７重量％の範囲内になるように、加泥材と掘削土とを混合することで、−１０℃で凍結することが無く、ポンプによる注入が可能な程度の粘性を確保できる。したがって、不凍液分のみが流出することが防止されている。また、飽和塩化ナトリウムの凝固点は−２１℃であるため、凍結工法における凍土の平均的な温度である−１０℃の環境下においてもチャンバー４の泥土の凍結を防止できる。
また、加泥材中の水に対するベントナイトの割合が１７重量％〜２８重量％の範囲にあることで、ポンプによる注入が可能な程度の粘性を確保でき、材料分離抵抗性（ブリージング率３％以下）を確保しているため、不凍結材が余掘り部分を介して流出することや周辺地盤に浸透することなどにより地山の凍結を妨げることもない。
また、塩化ナトリウム及びベントナイトの濃度を前記の範囲に調整することで、施工に必要な塑性流動性（スランプ値１０ｃｍ〜１５ｃｍ）を確保しているため、切羽圧の保持およびスクリューコンベア５を利用した土砂の排出が可能である。
【００１７】
続いて、本実施形態の加泥材の性能を確認するために実施した室内実験の結果を示す。
本実験では、比重２．５のベントナイトおよび比重２．１８の塩化ナトリウムの配合量を変化させた加泥材を作製し、３時間後のブリージング率、粘性を測定した。ブリージング率は、ＪＳＣＥ−Ｆ  ５２２に準拠して３時間後のブリージング率を測定した。粘度は、東機産業(株)製のＢＩＩ形回転式粘度計を用いて測定した。さらに、その中から一種類の加泥材を添加した泥土の−１０℃環境での性状と、ミニスランプを測定した。
まず、ベントナイト、塩化ナトリウム、水を混合して加泥材を作製した。本実験では、各材料の配合を変化させて、数種類の加泥材を作製した。各加泥材の配合およびブリージング率、粘性を表１に示す。
【００１８】
【表１】
2020051243.tif 000003
【００１９】
水に対するベントナイトの割合が１５重量％（配合１）だと、ブリージング率が３％以上となった。一方１７重量％（配合２）ではブリージング率は３％以下となる事が確認された。また、水に対するベントナイトの割合が２９重量％（配合７、８）だと、粘性が増加し、ポンプによる圧送が難しくなる事が確認された。したがって、加泥材中の水に対するベントナイトの割合は１７〜２８重量％の範囲とすることが望ましいことが確認された。
加泥材中の水と塩化ナトリウムとの合計に対する塩化ナトリウムの濃度が７５重量％（配合１６）だと、不凍結材（塩化ナトリウム）の量が多く、流動性を確保できなくなり（粘性が測定不能）、ポンプによる圧送が難しくなることが確認された。したがって、加泥材中の水と塩化ナトリウムとの合計に対する塩化ナトリウムの濃度は７０重量％以下とすることが望ましい。なお、加泥材中の水と塩化ナトリウムとの合計に対する塩化ナトリウムの濃度が、４０重量％〜５５重量％の範囲内（配合５，９，１０）であれば、ブリージング率が０％となる。
【００２０】
表１に示す配合４の加泥材について砂および水と混合して泥土を作製し、この泥土の不凍性を確認するとともに、当該泥土に対してミニスランプ試験を実施した。泥土は、砂１００ｍｌ＋水３０ｍｌに対する割合が１０重量％および１５重量％となるように加泥材を添加した。不凍性の確認は、−１０℃環境下に泥土を２４時間静置して、凍結したか否かを確認した。また、ミニスランプ試験は、平板上に立設されたミニスランプコーンに泥土を投入し、引き抜き後の沈下高さを測定した。試験結果を表２に示す。
【００２１】
【表２】
2020051243.tif 000004
【００２２】
泥土中の水分に対する塩化ナトリウムの濃度が１２重量％だと、泥土の一部が凍結する結果となった。一方、泥土中の水分に対する塩化ナトリウムの濃度が１５重量％以上の場合は、泥土が凍結しないことが確認された。したがって、泥土中の水分に対する塩化ナトリウムの濃度は、１２重量％より濃く、好ましくは１４重量％以上、より好ましくは１５重量％前後にするのが望ましいことが確認できた。なお、塩化ナトリウムの飽和濃度は２４重量％のため、不凍結材の流出を防止する観点から、塩化ナトリウムの濃度は２４重量％以下であるのが望ましい。
また、ミニスランプが７．５ｃｍとなり、泥土圧式シールド工法において、必要な流動性を確保できることが確認できた。なお、泥土圧式シールド工法において泥土に必要なスランプ値（通常のスランプ試験によるスランプ値）は、一般的に１０ｃｍ〜１５ｃｍが良いとされている。本室内実験におけるミニスランプ試験では、目標値を５．０ｃｍ〜７．５ｃｍとした。
【００２３】
＜第二実施形態＞
第二実施形態では、泥水式シールド工法において凍結工法を実施する場合について説明する。
本実施形態の泥水式シールド工法は、掘進工程と、第一凍結工程と、置換工程と、第二凍結工程とを備えている。
掘進工程では、切羽Ｋに供給された泥水の圧力によって切羽Ｋの土圧と地下水圧に対抗しつつ、シールドマシン１の掘進量と排泥量のバランスを取りながら掘進する。本実施形態のシールドマシン１は、図５に示すように、前端に設けられたカッターヘッド（面板）２とその後方に設けられた隔壁３とを備えており、カッターヘッド２と隔壁３との間にチャンバー４が形成されている。カッターヘッド２には、複数のカッタービット２１，２１，…が固定されている。隔壁３には、作業員が出入りするためのマンホール（図示せず）が形成されている。また、シールドマシン１の内部には、チャンバー４内に泥水を供給する送泥手段８１とチャンバー４内の泥水を排出する排泥手段８２とが設けられている。送泥手段８１および排泥手段８２は、隔壁３を貫通して、チャンバー４に接続されている。また、シールドマシン１に推力を与えるシールドジャッキ１１が設けられているとともに、カッターヘッド２に回転力を付与するモーター２２が設けられている。
カッタービット２１，２１，…で掘削した土砂は、チャンバー４内において泥水と混合した後、排泥手段８２を介してトンネル坑外に排出する。
【００２４】
第一凍結工程では、シールドマシン１の停止位置周辺の地盤を、シールドマシン１が当該領域（凍結領域Ａ０）に到達する前に凍結する（図３参照）。第一凍結工程の詳細は、第一実施形態の第一凍結工程と同様なため、詳細な説明は省略する。
【００２５】
置換工程では、チャンバー４内の泥水を不凍結加泥材に置き換える。まず、シールドマシン１による掘進を所定の位置で停止する。シールドマシン１を停止させたら、排泥手段８２を介してチャンバー４内の泥水を排出するとともに送泥手段８１を介して不凍結加泥材を供給して、チャンバー４内の泥水を不凍結加泥材に置き換える。このとき、凍結領域Ａ０は予め凍結されているため、不凍結材が地盤内に流出することが防止されている。なお、置換工程では、シールドマシン１に形成された環状部材９を利用してシールドマシン１の外面と地盤との隙間（余掘り部分）を遮蔽する。環状部材９は、シールドマシン１の外殻から外側に突出する部材であって、隔壁３の孔口側に設けられている。環状部材９の構成は限定されるものではなく、例えば、流体を注入することにより膨張するチューブ状部材であってもよい。また、環状部材９は、必要に応じて設ければよい。また、チャンバー４への不凍結加泥材の供給方法は限定されるものではなく、送泥手段８１とは別の供給手段を介して供給してもよい。
不凍結加泥材は、ベントナイトと、水と、増粘剤、不凍結材とを含んでいる。本実施形態では、不凍結材として塩化ナトリウムを使用する。加泥材中の水と塩化ナトリウムとの合計に対する塩化ナトリウムの濃度は、１５重量％〜６５重量％の範囲内、より好ましくは２５重量％〜３５重量％の範囲内とする。また、加泥材の添加量は、チャンバー４内において掘削土と混合した際に、掘削土に含まれる水分、加泥材に含まれる水分および塩化ナトリウムの合計に対する塩化ナトリウムの濃度が１４重量％〜２４重量％の範囲内、好ましくは１５重量％〜１７重量％の範囲内になるように設定する。なお、不凍結材を構成する材料は、塩化ナトリウムに限定されるものではなく、例えば、塩化カリウム、塩化カルシウム、塩化マグネシウム、ＣＭＡ、ギ酸ナトリウム、けい酸ソーダ、グリセリン、エチレングリコール等を使用してもよい。また、不凍結加泥材は、ブリージング率が０％になるように調整する。加泥材中の水に対するベントナイトの割合が２１〜２８重量％の範囲内にするのが望ましい。こうすることで、不凍結材が周辺地盤に流出することを防止するとともに、−１０℃においてもチャンバー４内の内容物（加泥材）が凍結することを防止する。
【００２６】
第二凍結工程では、シールドマシン１の周辺地盤を凍結する。第二凍結工程では、第一凍結工程において使用した凍結管７による凍結を引き続き実施するとともに、シールドマシン１から挿入した凍結管、または、シールドマシン１に設置された凍結手段により、地上から打設した凍結管７によって凍結できない部分（例えば、シールドマシン１の下方等）およびシールドマシン１に面する地盤を凍結する。これにより、凍結領域Ａ０とシールドマシン１の前胴部分との一体化を図る。本実施形態では、シールドマシン１の先端（切羽Ｋ）から隔壁３（環状部材９）までの区間の周囲の地盤を凍結させる。このとき、チャンバー４内の内容物（加泥材）全体に不凍結加泥材が混合されているため、チャンバー４内の加泥材が凍結することが防止されている。
【００２７】
本実施形態の泥水式シールド工法および止水方法によれば、チャンバー４内の加泥材に不凍結材が混合されるので、チャンバー４の内容物が周辺地盤とともに凍結することを防ぐことができる。そのため、チャンバー４内に作業員が入り込む際に、チャンバー４内の内容物を除去しやすい。
また、切羽Ｋから隔壁３（環状部材９）までの範囲を含むように地盤を凍結させることで、凍結した地盤と、シールドマシン１の胴部分とが一体化されて、不凍結材が地下水へ浸出することを防止できるとともに、余掘り部を介して土砂や地下水等が流入することを防止できる。
【００２８】
以上、本発明に係る実施形態について説明したが、本発明は前述の実施形態に限られず、前記の各構成要素については本発明の趣旨を逸脱しない範囲で適宜変更が可能である。
例えば、チャンバー４内に間隙水圧計等の圧力計を設けておいてもよい。間隙水圧計の測定値により、チャンバー４内の加圧状態を確認することで、周辺地盤の凍結状態を確認することができる。すなわち、チャンバー４内の圧力が低下しない場合は、地下水が流入し続けていることになる。この場合には、冷媒の温度をさらに下げて、チャンバー４内を凍結させればよい。
【符号の説明】
【００２９】
１    シールドマシン（トンネル掘削機）
１１  シールドジャッキ
２    カッターヘッド
２１  カッタービット
２２  モーター
３    隔壁
４    チャンバー
５    スクリューコンベア
６    泥土
７    凍結管
８１  送泥手段
８２  排泥手段
Ａ０   凍結領域
Ｋ    切羽
【図１】
2020051243.tif 000005
【図２】
2020051243.tif 000006
【図３】
2020051243.tif 000007
【図４】
2020051243.tif 000008
【図５】
2020051243.tif 000009